Podtech/llm-jp-corpus-v4-ja_patent huggingface dataset:
(57)【要約】【課題】  屋根の雪下しは、滑落事故等が生じて危険を伴うもので、この屋根の雪下し作業を安全でスムーズに行うことのできる雪下し板を提供する。【解決手段】  屋根上に方向性のある波形を設けた滑り板を置き、雪塊を滑り板上に投げることによって、雪塊は滑り板によって落下し、作業者は軒端まで進むことなく、安全に、しかもスムーズに屋根の雪下し作業ができる。【選択図】    図１
0003121220.tif 000002
【実用新案登録請求の範囲】
【請求項１】
長方形の板状体Ａであって、表面に長手方向の波形（１）を形成し、裏面周囲及び中央に高さのある枠板（２）を設けたことを特徴とした屋根雪下し用の滑り板。
【請求項２】
裏面周囲の枠板（２）の隅部に連結用の穴（３）を設けたことを特徴とした請求項１に記載の屋根雪下し用の滑り板。
【請求項３】
裏面周囲及び中央の枠板（２）の底部適所に凸片（４）を設けたことを特徴とした請求項１に記載の屋根雪下し用の滑り板。
【考案の詳細な説明】
【技術分野】
【０００１】
本考案は、屋根雪下しの際の雪塊を方向性をもたせて落下させる雪下し用の滑り板に関する。
【背景技術】
【０００２】
従来屋根の雪下しに際しては、シャベルやスノーダンプを使って屋根上で雪を切り分け雪塊を屋根下に投げ落しているが、毎年滑落などで人的被害が生じている。このため命綱を使うなどして注意がとられているが一向に事故が発生し改善されていない。
【特許文献１】特開２００２−２４２４００号公報
【考案の開示】
【考案が解決しようとする課題】
【０００３】
このような事故は、雪下しの際作業者が雪投げのために屋根軒端に近づくことが原因の一つにされている。
【０００４】
考案者はこの点に鑑み鋭意研究を重ねた結果、本考案に到達したものであって、本考案は屋根上に滑り板を配置し、この上にシャベルやスノーダンプで切り崩した雪塊を投げ込むことによって雪塊は滑り板によって落下する。
【課題を解決するための手段】
【０００５】
本考案の滑り板は、図示するように長方形の板体Ａであって、この表面を波形（１）に形成し、裏面に枠板（２）を設けるもので、波形（１）は板体Ａの長手方向に設け、また枠板（２）はやや高さを設けて形成する。
【０００６】
したがって、雪下し作業において、板体Ａを屋根の傾斜に沿って配しておけば、裏面の枠板（２）によって安定し、作業においてシャベルやスノーダンプによって切り崩した雪塊を板体Ａ上に投げ込めば雪塊は板体の傾斜と波形（１）の流れに従って屋根下に落下する。
【考案の効果】
【０００７】
本考案の滑り板Ａは、波形（１）を設けることによって雪塊落下の方向性が定まり、また滑り板Ａを屋根の大きさによって継ぎたすことも可能で、このため作業者は軒端まで進んで雪投げすることなく危険が少ない。
【０００８】
また滑り板Ａの裏面には、枠板（２）にストッパーとして凸片（４）を設けることができて屋根上で安定し、さらには滑り板Ａ継ぎ用の穴（３）を設けることにより連結も可能で、すべての屋根に適応し、危険が伴なう屋根の雪下しを安全に、しかもスムーズに行うことができるという作用効果を奏する。
【考案を実施するための最良の形態】
【０００９】
図面により本考案の実施をするための最良の形態を図６について説明すると、図６は雪Ｓが積っている屋根上の雪に対して、雪下し用の滑り板Ａを載置した略図であって、雪下し用の作業者等は省略しているが、作業者は屋根上の積雪Ｓに対してシャベルやスノーダンプで積雪を切崩して雪塊として滑り板Ａ上に投入すると雪塊Ｓは滑り板Ａ上を滑落下する。
【００１０】
図は参考であるが、屋根下に雪捨て用のダンプ車Ｔを待機させておけば落下した雪塊Ｓは自動的にダンプ車に積み込まれる。この滑り板Ａは表面に、波形板（１）が形成されているため雪塊Ｓは一直線に落下する。
【実施例】
【００１１】
本考案の滑り板の実施例を図について説明すると、図１は雪滑り板Ａの表面図を示していて、長方形の板体であって、この表面には長手方向に波形（１）を形成する。図２は図１のａ−ａ断面図であって、図３は図１のｂ−ｂ断面図を示していて、この図２及び図３によって理解できるように、この滑り板Ａの裏面の周枠及び中央には少しの高さを有する枠板（２）が設けてある。
【００１２】
そして図４は裏面周囲の枠板（２）の四隅に設けた連結用の穴（３）を設けるもので、雪下し屋根が大きい場合には滑り板Ａを連結して使用する。さらに図５は裏面の周囲及び中央の枠板（２）の裏面に設けた滑止め用の凸起（５）でゴムやプラスチックで設ける。
【００１３】
本考案の雪下し用の滑り板Ａは裏面に枠板（２）を高さを設けて装着した構成としているため、これのみでも抵抗があって滑り板Ａの滑落を防げるが、念のために滑止め用の凸起を設ける。
【産業上の利用可能性】
【００１４】
上述のように、本考案の雪下し用の滑り板は屋根上でシャベルやスノーダンプを使って切り崩した雪塊を滑り板上に投入するだけで、作業者は雪処理のために軒端に近づくことなく処理ができるため転落の危険がなく、しかも雪下しが早くできるため、多雪地帯での屋根の雪下しに多いに利用でき、この利用価値は大である。
【図面の簡単な説明】
【００１５】
【図１】本考案の滑り板の平面図
【図２】図１のａ−ａ断面図
【図３】図１のｂ−ｂ断面図
【図４】請求項２の拡大した実施例図
【図５】請求項３の拡大した実施例図
【図６】本考案の使用の実施例図
【符号の説明】
【００１６】
１  表面の波板
２  枠板
３  枠板に設けた穴
４  枠板底部の凸起
Ａ  滑り板
Ｓ  積雪又は雪塊
Ｔ  雪捨てトラック
【図１】
0003121220.tif 000003
【図２】
0003121220.tif 000004
【図３】
0003121220.tif 000005
【図４】
0003121220.tif 000006
【図５】
0003121220.tif 000007
【図６】
0003121220.tif 000008
(57)【要約】【課題】    従来の一般的なホッチキスでは、針の針部が互いに内側に折曲させて書類を綴じるため、書類を開放するときには、針部を指先で折り返してから、針を抜き書類を開放していた。  しかし、この際には往々にして書類を破損させたりして非常に面倒であった。    そこで、本考案は、従来のホッチキス針を使用して、書類を従来通り強く綴じられると共に、更に、書類がクリップで綴じられた如く一枚づつ開放出来、更に、針を書類から容易に抜くことができるホッチキスを提供するものである。【解決手段】    両側に針部を有する略コ字状に形成された針をセットする部材とセットされた針を一本ずつ打込む部材と打込まれた針を受ける部材から成るホッチキスにおいて、前記針を受ける部材の針受座の溝の形状が、前記針の一方の針部が内側に他方の針部が外側に折曲するように溝が形成されえていることを特徴としたクリップ式ホッチキス。【選択図】図１
0003121299.tif 000002
【実用新案登録請求の範囲】
【請求項１】
両側に針部を有する略コ字状に形成された針をセットする部材とセットされた針を一本ずつ打込む部材と打込まれた針を受ける部材から成るホッチキスにおいて、前記針を受ける部材の針受座の溝の形状が、前記針の一方の針部が内側に他方の針部が外側に折曲するように溝が形成されえていることを特徴としたクリップ式ホッチキス。
【請求項２】
請求項１記載のクリップ式ホッチキスに、前記針の両針部が内側に折曲するように溝が形成された針受座や又は相反する方向に円弧状に屈曲する針受座等をも取り付け可能に手段を講じられていることを特徴としたクリップ式ホッチキス。
【考案の詳細な説明】
【技術分野】
【０００１】    本考案は、ホッチキス針で綴じられた書類が、クリップで留められた如く、書類が開放されることを特徴としたクリップ式ホッチキスに関するものである。
【背景技術】
【０００２】  従来の一般的なホッチキスでは、針の針部が互いに内側に折曲させて書類を綴じるため、書類を開放するときには、針部を伸ばしてから、針を抜き書類を開放していた。
しかし、この際には往々にして書類を破損させたりして非常に面倒であった。
このために、特開２０００−３１７８６０号の如くホッキス針の両針部を相反する方向に円弧状に屈曲させたり、又は、両針部とも外側の折曲するホッチキスが提案されているが。  クリップのように容易に書類を開放されるまでには至っていない感がする。
【考案の開示】
【考案が解決しようとする課題】
【０００３】    そこで、本考案は、従来のホッチキス針を使用して、書類を従来通り強く綴じると共に、更に、クリップで留めた如く一枚或いは複数枚の書類を開放出来、更に、針を書類から容易に抜くことができるホッチキスを提供するものである。
【課題を解決するための手段】
【０００４】  本考案の手段は、
両側に針部を有する略コ字状に形成された針をセットする部材とセットされた針を一本ずつ打込む部材と打込まれた針を受ける部材から成るホッチキスにおいて、前記針を受ける部材の針受座の溝の形状が、前記針の一方の針部が内側に他方の針部が外側に折曲するように溝が形成（以下、本針受座を新規な針受座ともいう。）されえていることを特徴としたクリップ式ホッチキスと、
更に、上記の様な新規な針受座に両針部が内側に折曲する針受座等（以下、従来の針受座ともいう。）をも取り付け可能に手段を講じ、この両針受座を選択して使用可能にしたことを特徴としたクリップ式ホッチキスとを提供する。
尚、従来の針受座の範疇には、針が全て内側に折り曲げる針受座とか、全て外側に折り曲げる針受座や互い相反して円弧状の屈曲した針受座等をいう。特に限定しない。【０００５】  上記の様に新規な針受座と従来の針受座とを取り付ける手段としては、
（１）各針受座を針受け部材に嵌め込み構造にして脱着可能にし、必要な針受座を嵌め        込む手段とか、
（２）図３に示すように新規な針受座（４）と従来の針受座（５）とを一体化して、軸        支（８）して回動させて使い分ける手段とか、
（３）新規な針受座（４）と従来の針受座（５）、（６）とを一体化して前後又は左右        に移動させて使い分ける手段とがある。図４は左右に移動さす構造を示す。
【考案の効果】
【０００６】  本考案の新規な針受座を有するホッチキスを使用することによって、打ち込まれた針部が同じ方向に折り曲げているので、一枚或いは数枚書類を針が折曲している方向に引けば、クリップで留められているように針から容易に外れます。
本考案の最大の特徴とするところは、上述のようにホッチキスで綴じた書類がプリップで留められている如く綴じられているところである。
又、請求項２記載のホッチキスを使用すれば、一台のホッチキスで従来の綴じ方と、本は考案の新規な綴じ方とが出来る特有の効果がある。
【考案を実施するための最良の形態】
【０００７】  本考案の最良の形態を図に基づき説明する。
請求項１記載の本考案のホッチキスを図１に示す。
クリップ式ホッチキスは針（７）を打ち込む針打ち部材（１）と、針をセットする針セット部材（２）と、打ち込まれた針の針部（７ａ，７ｂ）を受ける部材（３）に針受座（４）装着した。
前記針受座（４）には針部の（７ａ）が内側に折り曲げるための溝（４ａ）を、針部の（７ｂ）が外側に折曲げるための溝（４ｂ）を形成した。
図２は本考案を使用して書類を綴じた針部の断面図を示す。針は同じ方向に折り曲げられている。【０００８】  請求項２記載の本考案の実施例を図３に示す。
上記の新規な針受座（４）に従来の両方の針部（７ａ）（７ｂ）を内側に折り曲げる針受座（５）とを一体化して、該一体化した針受座を軸支（８）して回動させて前記（４）、（５）の受座を選ぶ構造である。軸には巻き線バネ（１１）が装着し付勢されている。
又、該一体化した受座には受座を持ち上げる摘み部（４ｃ）を設けた。
図４は、新規な針受座（４）と従来の針受座（５）に更に従来の相反する方向に円弧状に屈曲する針受座（６）を一体化しスライド孔（９）内を左右に移動させ、位置決めしてストッパ（１０）で止める構造を示す。ストッパ（１０）軸には巻き線バネ（１１）が装着し付勢されている
【図面の簡単な説明】
【０００９】
【図１】  請求１記載の考案の実施例を示す斜視図である。
【図２】  本考案のクリップ機能付きホッチキスで綴じた書類を示す断面図である。
【図３】  請求項２記載の考案の実施例を示す斜視図である。
【図４】  請求項２記載の考案の実施例を示す斜視図である
【符号の説明】
【００１０】    １      針打ち部材
２      針セット部材
３      針受け部材
４      本考案の針受座
４ａ    針部を内側に折り曲げる溝
４ｂ    針部を外側に折り曲げる溝
４ｃ    摘み部
５      従来の針受座
５ａ    従来の針を内側に折り曲げる溝
６      従来の相反する方向に円弧状に屈曲する針受座
７      針
７ａ    針部
７ｂ    針部
８      軸支
９      スライド孔
１０    ストッパ
１１    バネ
１２    書類
【図１】
0003121299.tif 000003
【図２】
0003121299.tif 000004
【図３】
0003121299.tif 000005
【図４】
0003121299.tif 000006
(57)【要約】      （修正有）【課題】石鹸を使用する際に、すべりやすく、また、使用するにつれて使いにくい形に変形してしまう不都合を解消するため、洗浄する際に使用する、フロート付き石鹸を提供する。【解決手段】石鹸１０自体に、フロート２を取り付けられる構造を設けて、石鹸１０の変形を防ぐ。また、取っ手１を取り付けられる構造を設けてすべり落ちることを防ぐ、フロート付き石鹸１０によりこの課題を解決する。【選択図】図１
0003121297.tif 000002
【実用新案登録請求の範囲】
【請求項１】
石鹸に、フロートを取り付けられる構造を備えた、フロート付き石鹸。
【請求項２】
フロート付き石鹸に、取っ手を取り付けられる構造を備えた、フロート付き石鹸。
【考案の詳細な説明】
【技術分野】
【０００１】本考案は、洗浄する際に使用する、フロート付き石鹸に関する。
【背景技術】
【０００２】従来の石鹸では、手などを洗浄する際にすべりやすく、持ちにくい状態で使用していた。また、石鹸を使用していくに従い薄い形に変形し、扱いにくいまま使用していた。
【考案の開示】
【考案が解決しようとする課題】
【０００３】しかし、これでは石鹸を使用する際にすべりやすく、使いにくい場合がある。また、使用後の石鹸を石鹸置きなどに置くために、水分が浸透し石鹸の洗浄効力が低下することがある。また、石鹸を使用するに従い、石鹸の形が薄い形に変形し、扱いにくくなる。
【課題を解決するための手段】
【０００４】そこで、石鹸自体にフロートを取り付けられる構造を設けて、すべりにくく、使いにくい形に変形しないフロート付き石鹸を考案した。このフロート付き石鹸により、使用する際にすべりにくく、水に浮き、使用しても使いにくい形にならないのである。また、フロートに取っ手を取り付けることにより、石鹸がすべり落ちることはなくなり、簡易に水道などに取り付けすることができるのである。
【考案の効果】
【０００５】よって、本考案のフロート付き石鹸により、すべりやすく、使用するに従い使いにくい形に変形する石鹸はなくなる。また、石鹸本体にフロートを設けることにより、浮力があがり水に石鹸を落としても沈むことなく浮くのである。また、フロートに取っ手を設けることにより、すべり落ちることはなくなり、簡易に水道の蛇口などに取り付けられることから、余計な水分が浸透することはなく、石鹸の洗浄効果を低下させることなく、衛星的に使用することができる。
【考案を実施するための最良の形態】
【０００６】本考案に係わる、フロート付き石鹸１０は、図１の示すように石鹸１０を使用する際にすべらないように、とって１を備えている。そしてこの取っ手１は、人間の指や、水道の蛇口Ａなどに簡易に取り付けできるように柔軟性があるものにする。
石鹸１０に取り付けられているフロート２は、石鹸１０の使用感が現れないように丸型がよい。フロート２の大きさは、作成しようとする石鹸の大きさに合わせて調節すればよい。フロート２の素材は、水に強く、石鹸１０を消費した後、リサイクルできるものがよく、石鹸１０本体のコストも考えて安価なものがよい。
【図面の簡単な説明】
【０００７】
【図１】本考案に係わるフロート付き石鹸の断面図である。
【図２】従来の石鹸である。
【符号の説明】
【０００８】１    取っ手
２    フロート
Ａ    蛇口
１０  フロート付き石鹸
２０  従来の石鹸
【図１】
0003121297.tif 000003
【図２】
0003121297.tif 000004
(57)【要約】【課題】携帯電話等に取り付けるカバー付ルーペストラップを提供する。【解決手段】ルーペカバーは巾着型、Ｔシャツ型あるいはりんご等に形成し、ルーペはストラップの先端にコイルスプリングを介して取り付け、前記ルーペはルーペカバーで外周から覆うように取り付けられてあることを特徴とするカバー付ストラップ。【選択図】図１
0003121296.tif 000002
【実用新案登録請求の範囲】
【請求項１】
ルーペカバーは、巾着型、Ｔシャツ型あるいはりんご型などに形成し、ルーペはストラップの先端にコイルスプリングを介して取り付け、前記ルーペはルーペカバーで外周を覆うように取り付けられてあることを特徴とするカバー付ルーペストラップ。
【考案の詳細な説明】
【技術分野】
【０００１】  本考案は、ストラップの先端にコイルストラップを介して取り付けられたルーペが、装飾性のあるルーペカバーで覆われていることを特徴とするカバー付ルーペストラップに関するものである。
【背景技術】
【０００２】  従来、携帯電話の画面や操作部を見るときや、買物時に品物の小さなラベル等を見るとき老眼鏡などが必要な人は、その都度、鞄の中からメガネを取り出し使用していた。また、従来のルーペ付ストラップは、携帯電話の画面や操作部などを見ることが主な目的で、カバーはないものであった。なお、関連技術に下記物件がある。【特許文献１】特開２００１−５３８５２号公報上記、特許文献１は、連結紐と把持紐とを継手部材で繋いだストラップにおいて、把持紐の先端付近にルーペを取り付けてある、携帯電話やポケットカメラ等の小型携帯物用のストラップである。
【考案の開示】
【考案が解決しようとする課題】
【０００３】  以上に述べた従来の老眼鏡では、その都度、鞄の中からメガネを取り出す手間がかかり、また、携帯電話ストラップのルーペそのものを持ち歩くには、装飾性もなく、老眼用に持つ恥ずかしさや抵抗感があった。  また、特許文献１では、ルーペカバーがなくルーペに傷がつきやすいものであり、把持紐の長さが限られているので、携帯電話などの本体を見ることが主な目的であった。  本考案では、人前で老眼用のメガネをかける恥ずかしさもなく、自分が確認しようとするもの、例えば、買物時の商品のラベルや薬箱の説明を読むときなどに、人目に付くことなく手軽にルーペが使用でき、ルーペカバーに装飾性があるのでルーペをアクセサリーとして、楽しく持つことができるということを目的とするものである。
【課題を解決するための手段】
【０００４】  本考案は、上記課題を解決するために、ルーペカバーを巾着型、Ｔシャツ型あるいはりんご等などに形成し、ルーペはストラップの先端にコイルスプリングを介して取り付け、前記ルーペはルーペカバーで外周から覆うように取り付けてあることを特徴とするカバー付ルーペストラップである。
【考案の効果】
【０００５】  本考案は、上記構成から成るもので、以下に示す効果が期待できる。  １．ルーペカバーに装飾性があり、一見、アクセサリーとして見える。  ２．ルーペ付ストラップにカバーが付いているので、ルーペに傷が付きにくくなっている。  ３．メガネを取り出す手間もなく、手軽にルーペを使用することができる。  ４．ルーペはコイルスプリングでつながれているので、必要なときは、ルーペカバーの中からコイルスプリングを引き伸ばして簡単にルーペを出すことができ、使用が終われば、またカバーの中に戻すことが楽にできる。
【考案を実施するための最良の形態】
【０００６】  以下、本考案の実施の形態を図面を参照して説明する。  図［１］に示すようにストラップ（３）の先端にコイルスプリング（２）を固定しておき、その先端にルーペ（１）が止められてあり、ルーペ（１）はルーペカバー（４）で外周から覆うように付けられている。ここに示すコイルスプリング（２）は金属製または化学樹脂などで作られている。さらにルーペカバー（４）は［図４］に示すように巾着型、Ｔシャツ型やりんご型でもよいし、さらに動物型などにもできる。ここで使用する材質は、布、ニット、不織布など出来ればルーペ（１）に傷がつかない柔らかい材質のものが好ましい。  また、ルーペ（１）は、ガラス製でも化学樹脂などでも良い。  これらの考案の実施においてはルーペカバー（４）内に収められているルーペ（１）を指の先でつまみ、コイルスプリング（２）を引き伸ばす状態で取り出し、自分が確認したいものに当てて、字を読みとるようにして用いられる。ルーペ（１）は装飾性のあるルーペカバー（４）により、一見アクセサリーに見える。したがって人前で老眼用の眼鏡をかける恥ずかしさや、常に老眼用のルーペを携帯しているという抵抗感が薄れ、そのデザインにより老若男女が楽しく持つことができる。そして、日常生活においてルーペ（１）が必要な時、例えば買物時の商品のラベルや薬箱の説明を読むときなどには、先に述べたようにコイルスプリング（２）を引き伸ばして人目につくことなく手軽にルーペ（１）を使用できる。また、ルーペ（１）の使用が終わればコイルスプリング（２）の働きにより、ルーペカバー（４）の中に簡単に戻すことができる。また、携帯電話に限らず、バックや他のものに取り付けて使用することもできる。
【図面の簡単な説明】
【０００７】
【図１】本考案の斜示図
【図２】本考案のカバーとルーペ付ストラップを分けた斜視図
【図３】本考案のカバーにルーペ付ストラップを組み合わせる方向を示した斜視図
【図４Ａ】ルーペカバーの他のデザイン例
【図４Ｂ】ルーペカバーの他のデザイン例
【符号の説明】
【０００８】  １．ルーペ  ２．コイルスプリング  ３．ストラップ  ４．ルーペカバー
【図１】
0003121296.tif 000003
【図２】
0003121296.tif 000004
【図３】
0003121296.tif 000005
【図４Ａ】
0003121296.tif 000006
【図４Ｂ】
0003121296.tif 000007
(57)【要約】【課題】使用感に優れ安全に使用することができ，かつ，美観や独自性にも優れた包丁及びナイフを提供する。【解決手段】本考案は柄に貴石あるいは準貴石を取り付けることにより，使用感，安定性を向上させ疲労感軽減し安全性を高めると同時に，美観と独自性を高める。【選択図】図１
0003121293.tif 000002
【実用新案登録請求の範囲】
【請求項１】
貴石あるいは準貴石を取り付けた柄を有することを特徴とする包丁及びナイフ。
【考案の詳細な説明】
【技術分野】
【０００１】  本考案は，柄の部分に貴石あるいは準貴石を取り付けた包丁及びナイフに関するものである。
【背景技術】
【０００２】  包丁及びナイフ類は一般家庭でも日常的にかつ頻繁に使用されるものであり，その使用者の多くは女性である。また，高齢化社会に伴い高齢者の自炊者も増え続けている現実がある。多くの使用者である女性や高齢者にとって，使用時に感触が良く握りやすく安定した状態で作業をすることは疲労を軽減させることからも望ましい。更に，使用しにくい包丁及びナイフ類は使用時に無理な力や無駄な力が入るために怪我の原因ともなり，安全性にも影響を及ぼす。これらは，一般家庭以外でも包丁及びナイフ類を長時間使用する職業従事者にとっても同様であり，使用による疲労は顕著である。そのため，使用感が良く疲労を軽減する包丁及びナイフ類の開発が望まれている。
【考案の開示】
【考案が解決しようとする課題】
【０００３】  使用時の感触が良く握りやすく合理的に力を活用できる形態を実現することにより使用者の疲労を軽減し，また，安全性を高める。かつ優れた美観と独自性を有する製品を提供する。
【課題を解決するための手段】
【０００４】  本考案は包丁及びナイフ類の柄に貴石あるいは準貴石を取り付け感触，使用感，安定性等を向上させることにより疲労感を軽減させると同時に安全性を向上させる。【０００５】  貴石あるいは準貴石が有するイオン効果又は電位効果により疲労感を軽減する。【０００６】  貴石あるいは準貴石を用いることにより美的優位性を高めると共に他に見ない独自性を実現する。
【考案の効果】
【０００７】  本考案に係る一実施例の使用感試験の結果を表１に示す。
【表１】
0003121293.tif 000003
【０００８】  特に貴石あるいは準貴石を用いることにより美観に優れ，また，他に無い独自性を有することから使用感試験を行なった使用者から愛着を感じるとの感想が多くあった。日常的に使用する製品であることから，この情動も有意義である。
【考案を実施するための最良の形態】
【０００９】  包丁及びナイフの柄の部分に貴石あるいは準貴石を取り付ける。
【実施例】
【００１０】  以下，添付図面に従って一実施例を説明する。本考案は実線で示した部分に関するものである。１は取り付けた貴石あるいは準貴石である。
【図面の簡単な説明】
【００１１】
【図１】本考案の実施例を示す正面図である。
【符号の説明】
【００１２】１  貴石あるいは準貴石
【図１】
0003121293.tif 000004
(57)【要約】【課題】  本考案は軒樋に堆積される土砂等を分割することにより土砂類が軽量となるので次に流れてきた水勢によって流れ落とすものである。尚軒樋の強度も確保できる。そして集水桝は軒樋との接続部から曲線状として水流を速やかにし砂塵、埃等が溜まらない形状とし外観もすっきりしたものである。【解決手段】  軒樋の水の流れる同方向の底面と側壁面に複数本の突起をつける。また、集水桝も水流がスムーズになり土砂等が溜まらない様隅部を作らず水の落ち口を曲線状とする。【選択図】図１
0003121295.tif 000002
【実用新案登録請求の範囲】
【請求項１】
建物等の軒樋において雨水が流れる底面が平面状の角樋や半円状の丸樋等の底面や側面に流れ方向と同じ方向に突起をつけた樋
【請求項２】
軒樋を流れてきた水を集めて下方へ落とすための集水桝に請求項１の軒樋を直接つなぎ水が流れ落ちる部分を曲線状とし水の流れをスムーズにする桝
【考案の詳細な説明】
【技術分野】
【０００１】  本考案は屋根等の雨水が軒樋に流れ落ちて軒樋へ入り込み、軒樋を取り付ける時に集水桝の方向へ勾配をつけるが軒樋からの雨水のあふれを防ぎ勾配方向への流れを整え砂塵や埃の堆積を除き樋の強度を増し、集水桝は水が流れ落ちやすい様に軒樋の接続部から曲線状とし、それにより美観もすっきりするものである。
【背景技術】
【０００２】  従来の軒樋は、ただ単に屋根から流れてきた雨水等を軒樋で受け勾配に沿って流れてきた水を桝に入れて下方へ落とすものである。軒樋に部分的に突起を付けたものもある。（特許文献１参照）
【特許文献１】    特願平１１−２３９９５４号  公報
【考案の開示】
【考案が解決しようとする課題】
【０００３】  軒樋には雨水と共に屋根に飛散した砂塵や埃も一緒に流れ落ち、それらが軒樋や集水桝に付着し、いずれ堆積して水の流れを悪くし、又その荷重により軒樋が下がったり草花の種子が付着するとやがて根を付け生長し排水作用が一層悪くなってしまう等の欠点があった。又集水桝は単なる箱型で隅部に砂塵や埃が溜まったり、集まった水が不規則に動きながら落下するので雨水量が多くなると落ちる速度が遅くなり従って桝の容量を大きくする必要があった。
【課題を解決するための手段】
【０００４】  本考案は塩ビ製、鋼製等既存の樋や桝と同じ材質のもので比較的容易に製作する事が出来、軒樋の水の流れる側面と底面に水流と同方向に線状の突起を複数本付けることにより屋根から落ちてきた水の流れを整え、横へのあふれを防ぎ砂塵や埃が雨水と共に屋根から流れ落ちて軒樋に入っても突起によって大きな塊とならず分割され、次に流れてきた雨水によって流れ落としてしまうものである。又、この突起により軒樋の強度も増す。集水桝は軒樋から流れてきた雨水や砂塵、埃等を流れやすくするため軒樋との接続部から曲線状とし、外観も扇形とする事が出来、日本古来の縁起物の末広形や、貝形にする事ができて建物の外観もすっきりし、上記課題を解決するものである。
【考案を実施するための最良の形態】
【０００５】  図１に示すように軒樋の水が流れる底面や側壁面に線状の突起を複数本つける。【０００６】  図４に示すように集水桝の軒樋と接続する部分から曲線状とし速やかに雨水を落下させる形とする。【０００７】  上記、軒樋と集水桝により雨水と共に屋根から流れてきた砂塵、埃等が軒樋の途中で堆積し大きな塊となる前に流れ落としてしまう。又、この突起をつけることにより軒樋の強度は増し、集水桝は末広形や貝形とすることにより建物の外観もすっきりとするものである。尚、軒樋も集水桝もそれぞれ単独で既存の樋や桝に接続出来、利便性にもすぐれている。【０００８】  上記の軒樋や集水桝の製作手段については既存の製作工程の成型を少し変化させるだけで済む。
【考案の効果】
【０００９】  建築物に取り付ける軒樋や集水桝は人間が直接手が届く高さではなく低い処でも脚立やハシゴ等で登って掃除をしなければならなく危険であり、そのため軒樋には砂塵や埃が堆積しても殆んど掃除はされていない。そしてやがて溢れたり軒樋が下がってしまい本来の機能が果たされなくなってしまう。そこで軒樋の底面や側面に突起を付けると砂塵や埃が屋根から流れ落ちてきても突起で分割され次に雨が降った時その水流で砂塵や埃を浮かし水勢で流れ落としてしまうのである。又、集水桝も角張った所がないので砂塵や埃が溜まる事もなくスムーズに流れ落ちてしまうのである。
【図面の簡単な説明】
【００１０】
【図１】  本考案に係る軒樋の斜め方向の姿図である。
【図２】  本考案に係る軒樋の断面図である。
【図３】  本考案に係る軒樋の平面図である。
【図４】  本考案に係る集水桝の正面図である。
【図５】  本考案に係る集水桝の断面図である。
【図６】  本考案に係る集水桝の平面図である。
【図７】  本考案に係る集水桝の斜め方向の姿図である。
【符号の説明】
【００１１】        １・・・軒樋
２・・・軒樋の突起
３・・・集水桝
４・・・集水桝の補強リブ
５・・・集水桝の水の落ち口
【図１】
0003121295.tif 000003
【図２】
0003121295.tif 000004
【図３】
0003121295.tif 000005
【図４】
0003121295.tif 000006
【図５】
0003121295.tif 000007
【図６】
0003121295.tif 000008
【図７】
0003121295.tif 000009
(57)【要約】【課題】  投げ釣りにおいて、重りが、川底や海底の石や障害物に根掛かりして外れず、仕掛けを失うことがある。本考案は重りがこれら障害物に根掛かりしそうになっても重りが障害物から外れてくる仕掛けを提供する。【解決手段】  中通し重りを使用する場合、ガイドとなる柄とその先端の環と中通し重りを抱くための湾曲部と湾曲部両端の環から成り、このガイドと中通し重りに道糸を通し、道糸の下端をてんびんの根元の孔に通し、道糸の端に結び目を設け、てんびんを止めるようにする。【選択図】図１
0003121291.tif 000002
【実用新案登録請求の範囲】
【請求項１】
仕掛けのガイド（１）とこのガイドの湾曲部に中通し重りを配置し、これらガイドと中通し重りに道糸を通し、さらにその道糸の端をてんびんの根元の孔に通し、道糸の端に結び目を設け、てんびんを止めることを特徴とする中通し重り用仕掛け。
【請求項２】
仕掛けのガイド（２）の先端の環に道糸を結び、ガイド（２）のクリップに重りを取り付けることを特徴とする胴突き重り用仕掛け。
【考案の詳細な説明】
【技術分野】
【０００１】  本考案は、釣り仕掛けにおける根掛かり防止用仕掛けに関する。
【背景技術】
【０００２】  投げ釣りにおいて、重りが、川底や海底の石や障害物に根掛かりして外れず、仕掛けを失うことがある。
【考案の開示】
【考案が解決しようとする課題】
【０００３】  従来の方法では、道糸を重りに直に結び付けているため、重りが石や障害物の間に落ち込むと、重りが石や障害物の間に食い込み外れず、仕掛けを失うこととなる。本考案は、かかる問題点を鑑みてなされたものであって、重りの前頭部に根掛かり防止の役割を果たすガイドとなる部分が取り付くようにした仕掛けを提供することを目的とする。
【課題を解決するための手段】
【０００４】  本考案に係わる仕掛けは、中通し重りを使用する場合は、針金を曲げて成形したガイドとなる柄とその先端の環と中通し重りを抱くための湾曲部と湾曲部両端の環から成り、このガイドと湾曲部に配置した中通し重りに道糸を通し、道糸の下端をてんびんの根元の孔に通し、道糸の端に結び目を設け、てんびんを止めることを特徴とする。胴突き仕掛けとする場合は、仕掛けはガイドとなる柄の先端の環に道糸を結び、ガイドの柄の根元に三又の脚を設け、その間に重りを取り付けるためのクリップとこのクリップに取り付けた重りから成ることを特徴とする。
【考案の効果】
【０００５】  本考案によれば、仕掛けが障害物等に掛かりそうになると、重りの前頭部の柄と重りの頭部が形成する方錐形部分の相乗効果により、先ず仕掛けの柄の部分が、障害物を乗越え、次に方錐形の部分が障害物を乗越え、仕掛けは外れてくる。
【考案を実施するための最良の形態】
【実施例１】
【０００６】  以下、本考案の実施例について、添付の図面を参照して具体的に説明する。図１は本考案の実施の形態に係わる中通し重りを使用した場合を示した図である。図１に示すように、本考案の仕掛けは、道糸、ガイド（１）１、中通し重り２、天秤３、及び釣り鉤で構成される。
【実施例２】
【０００７】  胴付き仕掛けとする場合の実施例を図２に示す。図２に示すように本考案の仕掛けは、道糸、ガイド（２）４、胴付き用重り５、及び釣り鉤で構成される。
【図面の簡単な説明】
【０００８】
【図１】本考案の実施形態に係る中通し重りを使用した場合の仕掛けの図である。
【図２】本考案の実施形態に係る胴突き仕掛けとした場合の仕掛けの図である。
【符号の説明】
【０００９】１；ガイド（１）
２；中通し重り
３；天秤
４；ガイド（２）
５；クリップ
６；胴突き用重り
【図１】
0003121291.tif 000003
【図２】
0003121291.tif 000004
(57)【要約】      （修正有）【課題】トイレットペーパーを簡単に引き出せるようにしたトイレットペーパー先端送り出し器を提供する。【解決手段】本考案はトイレットペーパーの蓋に開口部を儲けローラーを取り付け、手でローラーを回転させてペーパーの先端を手でつかめる程度出て来る様にしたものである。トイレットペーパーの蓋に開口部を儲けローラーの外周が蓋上側と下側にはみ出す様に取り付け、蓋の上部のローラーを手で廻す事によって蓋の下部のローラーがペーパーを廻して蓋の下に隠れていたペーパーの先端をローラーで送り出す様に構成したトイレットペーパーホルダー。【選択図】図１
0003121300.tif 000002
【実用新案登録請求の範囲】
【請求項１】
トイレットペーパーの蓋に開口部を設けローラーを取り付けてペーパーの先端が出てくる様に構成したトイレットペーパーホルダー。
【考案の詳細な説明】
【技術分野】    トイレットペーパーホルダー
【背景技術】  従来よりトイレットペーパーをカットするためのトイレットペーパーホルダーが用いられている。
【考案の開示】
【考案が解決しようとする課題】    トイレットペーパーを蓋でカットしていたため隙間が無く、ペーパーを引き出すのにいちいち蓋を持ち上げてペーパーを出して苦労していた。
【課題を解決するための手段】    本考案はトイレットペーパーの蓋に開口部を儲けローラーを取り付け、手でローラーを回転させてペーパーの先端を手でつかめる程度出て来る様にしたものである。
【考案の効果】
【考案を実施するための最良の形態】    本考案は、トイレットペーパーの蓋（図１の１）に開口部（図１の２）を儲けローラー（図１の３）の外周が蓋（図１の１）上側と下側にはみ出す様に取り付け、蓋（図１の１）の上部のローラー（図１の３）を手で廻す事によって蓋（図１の１）の下部のローラー（図１の３）がペーパーを廻して蓋（図１の１）の下に隠れていたペーパーの先端をローラー（図１の３）で送り出す様に構成したトイレットペーパーホルダー。
【図面の簡単な説明】
【図１】    本考案の斜視図である。
【図２】    本考案の断面図である。
【符号の説明】
１  蓋
２  開口部
３  ローラー
【図１】
0003121300.tif 000003
【図２】
0003121300.tif 000004
(57)【要約】【課題】テープ転写式平面板表面除塵装置のゴムロールユニットの出し入れにともなう、ギヤやカップリングなどの故障・発塵の解消。また、接触式駆動の磨耗による発塵の解消。【解決手段】接触駆動方式から非接触駆動伝達方式に変更する事で、ゴムロールユニットの出し入れ時の不具合（発塵や故障）と、稼動時におけるギヤなどからの磨耗による発塵が解消できる。【選択図】図２
0003121252.tif 000002
【実用新案登録請求の範囲】
【請求項１】
非接触駆動伝達方式採用のテープ転写式平面板表面除塵装置
テープ転写式平面板表面除塵装置において、メンテナンスの為にゴムロールを引出す機構がある。
この時ギヤによる駆動を採っていると、引き出して戻すときに定位置に戻りにくく、ギヤがうまくかみ合わない場合には発塵や故障の原因になる。
駆動ギヤから非接触駆動伝達部品を使用する事で、スムースにゴムロールの引き出しが可能になる。
また、非接触駆動の為、摩擦による発塵が発生しない。
【考案の詳細な説明】
【技術分野】
【０００１】テープ転写式平面板表面除塵装置の発塵及び故障防止に関するものである。
【背景技術】
【０００２】テープ転写式平面板表面除塵装置では、除塵効果維持の為にゴムロール表面の清掃を定期的に行わなければならない。その時、図１の様に手前に引き出すことで容易に行う事が可能である。【０００３】引き出すゴムロールのユニットには駆動を取っている事から、引き出し時には駆動部から切り離されている。従来機種では駆動部は平ギヤやカップリングなど接触式を取り入れている。
しかし、この様な従来方法だと元の定位置に戻した時にギヤ同士がぶつかる事が多く、発塵や故障の原因となる。【０００４】この現象を解決する為にギヤによる接触駆動から、非接触駆動伝達方式を採用した。
図２はその概略図である。非接触駆動伝達部品を使用する事にで、スムースにゴムロールユニットの出し入れが可能である。
【考案の開示】
【考案が解決しようとする課題】
【０００５】ゴムロールユニットの出し入れにともなう、ギヤやカップリングなどの故障・発塵の解決。
接触式駆動では稼動時に磨耗による発塵がおこるが、それの解決。
【課題を解決するための手段】
【０００６】本考案の非接触駆動伝達方式を取り入れる事で、ゴムロールユニットの出し入れ時の不具合と稼動時の磨耗による発塵が解消できる。
【考案の効果】
【０００７】駆動部の破損防止と発塵防止。
【考案を実施するための最良の形態】
【０００８】駆動モーター軸部とゴムロールシャフト部に、それぞれ非接触駆動伝達部品を取付ける。
（図２、図３）
【産業上の利用可能性】
【０００９】本資料では２連タイプ（ゴムロール本数が上下各２本）であるが、本数を増やして使用する事も可能である。
【図面の簡単な説明】
【００１０】
【図１】ゴムロールの引き出した状態図
【図２】非接触駆動伝達部品配置図
【図３】非接触駆動伝達部品取付状態図
【符号の説明】
【００１１】▲１▼  操作側カバー
▲２▼  操作盤
▲３▼  メンテナンス扉
▲４▼  ゴムロール
▲５▼  トップカバー
▲６▼  駆動側カバー
▲７▼  サイドカバー
▲８▼  ゴムロールユニット固定板
▲９▼  駆動モーター固定板
▲１０▼  非接触駆動用部品
Ａ  駆動モーター用非接触駆動用部品
Ｂ  下側ゴムロール用非接触駆動用部品
Ｃ  下側ゴムロール用非接触駆動用部品
【図１】
0003121252.tif 000003
【図２】
0003121252.tif 000004
【図３】
0003121252.tif 000005
【手続補正書】
【提出日】平成17年12月3日(2005.12.3)
【手続補正１】
【補正対象書類名】実用新案登録請求の範囲
【補正対象項目名】全文
【補正方法】変更
【補正の内容】
【実用新案登録請求の範囲】
【請求項１】
上下から挟んで回転する事で平面材料の表面を除塵する粘着ラバーロールと、更にその表面に吸着した塵を転写保持する粘着テープとの組み合わせを持つ、テープ転写式平面板表面除塵装置において、モーターから粘着ラバーロールを回転させる為の駆動伝達に接触式ギヤを使用せず、マグネットによる非接触駆動伝達部品を使用したテープ転写式平面板表面除塵装置。
(57)【要約】【課題】本考案はストッキング素材の筒状カバーで、成型した幼児用パズルを崩さずに立てて収納する。【解決手段】本考案の幼児用パズルカバーは、成型した幼児用パズルをストッキング素材で包み込むことにより隙間無く圧着し、崩さず立てて収納できることに役立つ。【選択図】図１
0003121257.tif 000002
【実用新案登録請求の範囲】
【請求項１】
成型した幼児用パズルを崩さず、かつ立てて収納することを特徴とするパズルカバー。
【請求項２】
ストッキング素材によって筒状に形成され、開口部を広げて幼児用パズルを水平に包み込むことにより隙間無く圧着することを特徴とするパズルカバー。
【考案の詳細な説明】
【技術分野】
【０００１】この発明は、筒状に加工されたストッキング素材が、幼児用パズルの成型を保持し立てて収納するカバーに関する。
【背景技術】
【０００２】パズル購入時に包装されているビニール製の袋は、パズル使用後収納しても立てると崩れてしまうため成型した状態を保持することができなかった。また、成型を保持するためには横にして収納するしかなく場所をとっていた。
【考案の開示】
【考案が解決しようとする課題】
【０００３】そこで本考案は成型した幼児用パズルを崩さず、かつ立てて収納することを目的とする。
【課題を解決するための手段】
【０００４】上記目的を達成するために、本考案の幼児用パズルカバーは、成型した幼児用パズルをストッキング素材で包み込むことにより隙間無く圧着し、崩さず立てて収納できることを特徴するものである。なお、色の種別は問わない。
【考案の効果】
【０００５】本考案の幼児用パズルカバーは、子供が自分で成型したパズルを崩さずしまうことができるため、幼児自身の満足度も保持することができるのである。さらに透けて見える成型されたパズルが、繰り返し遊ぶ意欲起こさせ、本来のパズル遊びの目的である幼児の脳の刺激につながる。また、請求項目１記載のように立てて収納すれば本や絵本などと一緒に並べて収納できるため、場所をとらないという利点がある。
【考案を実施するための最良の形態】
【実施例】
【０００６】筒状に加工をしたストッキング素材がカバーであり、片方の開口部１を広げて成型したパズルを水平に入れる。
【図面の簡単な説明】
【０００７】
【図１】パズルカバー装着時正面図である。
【図２】パズルカバー装着初期真上図である。
【図３】パズルカバー本体正面図である。
【図１】
0003121257.tif 000003
【図２】
0003121257.tif 000004
【図３】
0003121257.tif 000005
【手続補正書】
【提出日】平成18年1月26日(2006.1.26)
【手続補正１】
【補正対象書類名】実用新案登録請求の範囲
【補正対象項目名】全文
【補正方法】変更
【補正の内容】
【実用新案登録請求の範囲】
【請求項１】
開口部２つを有し、筒状に形成されたストッキング素材であって、前記開口部を広げて幼児用パズルを水平に包み込むことにより隙間なく圧着できるようにしたパズルカバー。
(57)【要約】      （修正有）【課題】散歩時は勿論、熱を出したときに熱を下げる効果がある犬用の着衣（胴巻き）の提供。【解決手段】１化学繊維の胴着を作り、２裏側にメッシュのポケット取付、２Ａ、３胴着がずれない様に首輪、４にマジックテープで止める、５前足を両方入れる５Ａ、６両サイドからマジックテープで止める６Ａ、７メッシュポケットの出し入れ口７Ａ、８本体裏側、９本体表側。【選択図】図１
0003121254.tif 000002
【実用新案登録請求の範囲】
【請求項１】
愛犬用胴巻きを作り、お腹側にメッシュのポケットを装着、ポケットの中にクールシート（冷蔵庫で冷やした物）を愛犬の体に着せる事によって約３０分位愛犬の体を冷やす事が出来る。愛犬用胴巻。
【考案の詳細な説明】
【技術分野】
【０００１】  本考案は、愛犬の胴巻きの中にメッシュのポケットを作り、ポケットの中にクール材を入れる。
【背景技術】
【０００２】  地球温暖化に伴い地面の照り返し、愛犬にとっての散歩は大変厳しい状況、昼夜問わず熱中症にかかります、人間は痛い苦しい事を言えますが、愛犬は人間に伝えることは難しい
【考案の開示】
【考案が解決しようとする課題】
【０００３】散歩時は勿論、熱を出したときに熱を下げる効果がある着衣（胴巻き）
【課題を解決するための手段】
【０００４】  本考案は、胴巻きの裏側に、暑さ４ｍｍ×１５ｃｍ×１５ｃｍ角のクールシートが入る、メッシュのポケットを作り、その中にクールシート入れ、愛犬の体を冷やすのが目的
【考案の効果】
【０００５】  上述の様に、本校案は愛犬の着衣の中にメッシュのポケットを作りクールシート（冷蔵庫で冷やす）冷蔵、冷凍どちらも可能、何度も使えます。
【考案の実施するための最良の形態】
【０００６】  愛犬も、最初は着衣慣れしないので、多少抵抗が有るようですが、繰り返し着せているうちに抵抗無く着るようになります、熱がある時など３０分着せて１０分位、冷蔵、冷凍庫で冷やしてから着せる事を、繰り返すことによって、ねつもさがり、なんと言ってもメッシュのポケットにクールシートを入れる事に着眼した事が最大の要因
【実施例】
【０００７】  以下、添付図面に従って一実例を説明する。１クールシートを入れるメシュポケット２化学繊維布製、３胴巻きがずれないようマジックテープ付きベルト、４前足入れ、５マジックテープ付き胴巻き固定、６重ねポケット出し入れ口、７
【図面の簡単な説明】
【０００８】
【図１】  本考案の内側を表した部分である図面
【図２】  本考案の表側の部分である図面
【符号の説明】
【０００９】１  科学繊維（布製）の胴着を作り
２  裏側にメッシュのポケットを取付
３  胴着がずれない様に首輪
４  マジックテープで止める
５  前足入れ
６  胴巻きがずれないように、両サイドからマジックテープで止める
７  メッシュユポケットの出し入れ口
８  本体裏側
９  本体表側
【図１】
0003121254.tif 000003
【図２】
0003121254.tif 000004
【手続補正書】
【提出日】平成18年1月13日(2006.1.13)
【手続補正１】
【補正対象書類名】実用新案登録請求の範囲
【補正対象項目名】全文
【補正方法】変更
【補正の内容】
【実用新案登録請求の範囲】
【請求項１】
愛犬用胴巻において、
その裏側のお腹側にクール材を収納することができるメッシュのポケットを備えた、
ことを特徴とする愛犬用胴巻。
【手続補正２】
【補正対象書類名】明細書
【補正対象項目名】０００７
【補正方法】変更
【補正の内容】
【０００７】
以下、添付図面に従って、一実例を説明する。
化学繊維布製胴着胴巻き１は、クールシートを入れるメッシュポケット２、化学繊維布製胴着胴巻き１がずれないようにするためのマジックテープ（登録商標）４付ベルト３、前足入れ５、マジックテープ付き胴巻き固定６、重ねポケット出し入れ口７、を有している。
【手続補正３】
【補正対象書類名】明細書
【補正対象項目名】０００９
【補正方法】変更
【補正の内容】
【０００９】
１  化学繊維（布製）の胴着
２  メッシュのポケット
３  胴着がずれないような首輪
４  マジックテープ（登録商標）
５  前足入れ
６  胴着がずれないようなマジックテープ（登録商標)
７  メッシュポケットの出し入れ口
８  本体裏側
９  本体表側
(57)【要約】      （修正有）【課題】刺股や警棒のような長い棒状の物に容易に取り付けることが出来る構造を持ったグリップ型デジタルカメラ装置の提供。【解決手段】刺股や警棒などの棒の部分にグリップ型のデジタルカメラを取り付け、犯人と対峙した際、刺股や警棒の先端部分を犯人側に向けることにより、真正面から犯人と対峙することになるので、犯人に悟られず顔の写真撮影が可能になる。【選択図】図１
0003121258.tif 000002
【実用新案登録請求の範囲】
【請求項１】
刺股や警棒等の長い棒状のような物に容易に取り付けられる構造を持ったグリップ型のデジタルカメラ装置。
【考案の詳細な説明】
【技術分野】
【０００１】本考案のカメラは、刺股や警棒等の棒の部分に簡単に取り付けられる構造を持っており、犯罪者からの攻撃を防ぐ為の距離を確保しつつ、相手に撮影していることを悟らせないで写真撮影ができるグリップ型デジタルカメラ。
【背景技術】
【０００２】一般的に犯罪者や不審侵入者を撮影する防犯カメラは、特定の場所に固定され、カメラの前を横切った場合のみ撮影が可能であるが、カメラの位置によっては、全体像は撮影出来ても顔をはっきり撮影することは難しい。かといって防犯カメラを、顔を撮影できる低い位置に置くことは、現実的ではない。
【考案の開示】
【考案が解決しようとする課題】
【０００３】犯罪者や不審者の顔を写して置いて後の犯罪捜査に役立てるために防犯カメラ装置があるが、通常設置箇所が固定で非常に高い所にあり、犯人の全体像を上から撮影することができても、一番役に立つ犯人の顔を正面から撮影することは極めて困難である。かといってカメラを構えて撮影することは犯人を刺激してしまい現実には不可能である。犯人と対峙した際、犯人に悟られず犯人の顔を正面から撮影できれば、後の犯罪捜査に大変役に立つはずである。
【課題を解決するための手段】刺股や、警察官、警備員などが持つ警棒などの棒の部分にグリップ型デジタルカメラを装着、これら刺股や警棒等を使用する場面では、必ず犯人と正面で向かう局面になるので、棒の所に取り付けられたグリップ型カメラで犯人の顔を取ることは容易に可能である。
【考案の効果】本考案のグリップ型デジタルカメラは、通常の刺股や警棒等の使用時に相手に悟られずに写真をとることが出来、従来の防犯カメラと違い真正面から顔の撮影も可能なので、後の犯罪捜査に大変役に立つ。
【考案を実施するための最良の形態】
【実施例】以下、刺股使用時を例に取り添付図面に従って実施例を説明する。１は刺股本体部分、２はデジタルカメラ、３はカメラ取り付けホルダー、４はカメラレンズ、５はカメラシャッター、６はカメラグリップ、７はフラッシュライトである。
まず、３を使いカメラ本体を１の刺股本体に固定する。犯人と対峙した際刺股の先端部を犯人側に向けることにより、４のカメラのレンズ部分も犯人側と真正面に向かう形になるので、必要に応じ５のスイッチを押すことにより犯人の顔を撮影することは容易である。撮影後は、カメラに内蔵されたメモリーカードをパソコンなどで分析可能。またカメラに通信機能を持たせることにより遠隔監視も可能になる。
【図面】
【図面の簡単な説明】
【図１】刺股本体に本考案カメラを取り付けたイメージ図。
【図２】デジタルカメラ部分イメージ図
【符号の説明】
１  刺股本体
２  デジタルカメラ本体
３  カメラ取り付けホルダー
４  カメラレンズ
５  カメラシャッター
６  グリップ
７  フラッシュライト
【図１】
0003121258.tif 000003
【図２】
0003121258.tif 000004
【手続補正書】
【提出日】平成18年1月24日(2006.1.24)
【手続補正１】
【補正対象書類名】実用新案登録請求の範囲
【補正対象項目名】全文
【補正方法】変更
【補正の内容】
【実用新案登録請求の範囲】
【請求項１】
護身用道具の刺股や警棒等の長い棒状のような物に、後付で容易に取り付けられるカメラ取り付けホルダーを持ったグリップ型のデジタルカメラ装置。